(57)【要約】【課題】ＲＦタグによって覆われていない表示領域にガイダンスを表示し得る携帯端末及びプログラムを提供する。【解決手段】ＲＦタグがかざされた際にＲＦタグと電磁波による無線通信を可能とする携帯端末１であって、携帯端末１の表示領域内又は表示領域近傍に配されたアンテナ４１及びアンテナ４２と、アンテナ４１及びアンテナ４２から取得された電波強度に基づいて、ＲＦタグによって覆われていない表示領域を検知し、検知された表示領域にガイダンスを表示する制御部５と、を備えた携帯端末１。【選択図】図１
2011180698.tif 000002
【特許請求の範囲】
【請求項１】
ＲＦタグがかざされた際に該ＲＦタグと電磁波による無線通信を可能とする携帯端末であって、
前記携帯端末の表示領域内又は表示領域近傍に配された複数のアンテナと、
前記複数のアンテナから取得された電波強度に基づいて、前記ＲＦタグによって覆われていない表示領域を検知し、検知された表示領域にガイダンスを表示する制御部と、
を備えた携帯端末。
【請求項２】
前記制御部は、前記複数のアンテナから取得された電波強度に基づいて、取得された電波強度のうち最小の電波強度を取得したアンテナの設置領域内又は設置領域近傍を前記ＲＦタグによって覆われていない表示領域として検知し、検知された表示領域にガイダンスを表示する請求項１に記載の携帯端末。
【請求項３】
前記制御部は、前記複数のアンテナから取得された電波強度に基づいて、取得された電波強度のうち最大の電波強度を取得したアンテナにより前記ＲＦタグに書き込まれた情報を読み取る請求項１又は２に記載の携帯端末。
【請求項４】
前記制御部は、前記複数のアンテナから取得された電波強度に基づいて、前記携帯端末の全表示領域において前記ＲＦタグによって覆われていない表示領域が占める割合を算出し、算出された割合が予め定められた値よりも大きい場合はガイダンスを表示し、算出された割合が予め定められた値以下の場合は音、光、振動又は文字によりエラーを通知する請求項１〜３の何れか一項に記載の携帯端末。
【請求項５】
前記複数のアンテナは、前記携帯端末の表示領域を複数の領域に分割したときに分割された領域を囲むようにそれぞれ配される請求項１〜４の何れか一項に記載の携帯端末。
【請求項６】
前記ガイダンスは、読み取り指示、読み取り状況、又は読み取り結果を通知する静止画又は動画である請求項１〜５の何れか一項に記載の携帯端末。
【請求項７】
前記制御部は、前記複数のアンテナから取得された電波強度及び電波強度と前記ＲＦタグによって覆われていない表示領域とが対応付けられたテーブルに基づいて、前記ＲＦタグによって覆われていない表示領域を検知し、検知された表示領域にガイダンスを表示する請求項１〜６の何れか一項に記載の携帯端末。
【請求項８】
前記複数のアンテナは、前記携帯端末の表示領域外であって、表示画面の４辺に沿ってそれぞれ配される請求項１〜７の何れか一項に記載の携帯端末。
【請求項９】
ＲＦタグがかざされた際に該ＲＦタグと電磁波による無線通信を可能とし、表示領域内又は表示領域近傍に配された複数のアンテナを備えて構成される携帯端末のコンピュータに、
制御部により、前記複数のアンテナから取得された電波強度に基づいて、前記ＲＦタグによって覆われていない表示領域を検知し、検知された表示領域にガイダンスを表示させる機能を実現するためのプログラム。
【発明の詳細な説明】
【技術分野】
【０００１】
本発明は、携帯端末及びプログラムに関する。
【背景技術】
【０００２】
近年、ＲＦＩＤ（Radio Frequency IDentification）により、ＲＦタグと近距離無線通信を行い情報のやり取りを行い得る携帯端末が注目されている。「ＲＦＩＤ」とは、電波を利用した認証技術をいう。「ＲＦタグ」とは、ＲＦＩＤ技術により近距離無線通信を行い情報のやり取りを行い得るものとして、ＩＣチップをはじめとする電子素子とアンテナの構成が埋め込まれたカード形状などの非接触ＩＣカードやＲＦＩＤタグなどのことをいう。
【０００３】
ＲＦＩＤを利用した携帯端末によれば、例えばＲＦタグが付与された商品の在庫管理が容易になる。また、ＲＦタグに記憶された様々なキー情報により電子マネーの取引が可能となり、自身の識別コード情報などの記憶により入退室の管理が容易になる等のメリットがある。
以下、特に１３．５６ＭＨｚ帯の周波数を利用したＲＦＩＤについて述べる。１３．５６ＭＨｚ帯の周波数を利用したＲＦＩＤでは、携帯端末にループアンテナが使用され、電磁誘導方式が採用される。
【０００４】
電磁誘導方式では、以下の特徴がある。
（１）通信距離は０ｍｍ〜２０ｍｍ程度と短い。
（２）携帯端末のアンテナ付近又はＲＦタグとの間に金属が介在すると携帯端末から出力された電波が阻害されて通信できない。
（１）〜（２）の特徴を考慮した携帯端末について、例えば下記に示す特許文献１に記載の技術が存在する。
【０００５】
特許文献１には、電子装置内での通信装置場所を示す位置指標を表示部に表示する電子装置が開示されている。すなわち、特許文献１に記載の技術によれば、携帯端末のどの位置にアンテナが設置されているのかを表示部に表示することができる。
【先行技術文献】
【特許文献】
【０００６】
【特許文献１】特表２００７−５３６６６５号公報
【発明の概要】
【発明が解決しようとする課題】
【０００７】
ここで、表示部を備えた携帯端末には、表示部の外周に沿ってループアンテナが設置されたものが存在する。表示部の外周にループアンテナを設置することで、表示部の表示領域を十分に確保し、ループアンテナの設置場所を余計に確保する必要がないため携帯端末の小型化を図ることができる。なお、現在普及している携帯端末には例えばＰＤＡ（Personal Digital Assistant）やハンディターミナルがある。
【０００８】
特許文献１に記載の技術を上記の携帯端末に適用した場合、ＲＦタグをかざした際にＲＦタグにより表示部の表示領域が覆われて各種のガイダンスが観察できなくなる問題が生じる。なお、各種のガイダンスには、例えば「この画面にカードをかざして下さい」との読み取り指示、「読み取りＯＫ！」との読み取り結果、「読み取り位置を移動して下さい」との読み取り指示等がある。また、一般的にＲＦタグとしてのＩＣカードのサイズは、８５．６×５４（ｍｍ）であり、画面寸法で換算すると４インチ程度であるため、携帯端末の様に表示部サイズが限られるものの場合、観察できなくなる部分の比率が大きくなってしまう傾向にある。
【０００９】
図１１に、携帯端末にＲＦタグをかざす前の状態を示す。
図１２に、携帯端末にＲＦタグをかざした後の状態を示す。
図１１及び図１２に示すように、ＲＦタグをかざすと表示領域の一部がＲＦタグに覆われ、ガイダンスを観察することができなくなる場合がある。ガイダンスが観察できなくなることで、ユーザの利便性が損なわれる。
【００１０】
本発明の課題は、ＲＦタグによって覆われていない表示領域にガイダンスを表示し得る携帯端末及びプログラムを提供することである。
【課題を解決するための手段】
【００１１】
本発明によれば、ＲＦタグがかざされた際に該ＲＦタグと電磁波による無線通信を可能とする携帯端末であって、
前記携帯端末の表示領域内又は表示領域近傍に配された複数のアンテナと、
前記複数のアンテナから取得された電波強度に基づいて、前記ＲＦタグによって覆われていない表示領域を検知し、検知された表示領域にガイダンスを表示する制御部と、
を備えた携帯端末が提供される。
【００１２】
また、本発明によれば、ＲＦタグがかざされた際に該ＲＦタグと電磁波による無線通信を可能とし、表示領域内又は表示領域近傍に配された複数のアンテナを備えて構成される携帯端末のコンピュータに、
制御部により、前記複数のアンテナから取得された電波強度に基づいて、前記ＲＦタグによって覆われていない表示領域を検知し、検知された表示領域にガイダンスを表示させる機能を実現するためのプログラムが提供される。
【発明の効果】
【００１３】
本発明によれば、ＲＦタグによって覆われていない表示領域にガイダンスを表示することができ、ユーザの利便性向上が図れる。
【図面の簡単な説明】
【００１４】
【図１】携帯端末の外観図である。
【図２】携帯端末の機能ブロック図である。
【図３】表示処理を示すフロー図である。
【図４】ＲＦタグがかざされる前の状態を示す図である。
【図５】ＲＦタグがかざされた後の状態を示す図である。
【図６】携帯端末の外観図である。
【図７】携帯端末の外観図である。
【図８】携帯端末の機能ブロック図である。
【図９】表示処理を示すフロー図である。
【図１０】テーブルを示す図である。
【図１１】ＲＦタグがかざされる前の状態を示す図である。
【図１２】ＲＦタグがかざされた後の状態を示す図である。
【発明を実施するための形態】
【００１５】
〔第１の実施形態〕
本実施形態における携帯端末の構成及び動作について、図面を用いて詳細に説明する。なお、本実施形態は一例であり、本発明はこれに限定されるものではない。
【００１６】
図１に、携帯端末１の外観図を示す。
携帯端末１は、表示部２、操作部３、アンテナ４１及びアンテナ４２等を備えて構成される。
【００１７】
表示部２は、液晶ディスプレイ（Liquid Crystal Display）や有機ＥＬディスプレイ（Organic Electro-Luminescence Display）等を備えて構成される。表示部２は、各種情報の静止画又は動画を表示する。
【００１８】
操作部３は、タッチセンサーを備えて構成され、表示部２の背面に設けられるいわゆるタッチパネルである。操作部３は、抵抗膜方式、表面弾性方式、静電容量方式等の方式により、表示部２の画面上がタッチ（押下）された場合に押下信号を生成し、生成された押下信号を制御部５（図２参照）に出力する。なお、操作部３は、必ずしもタッチパネルである必要はなく、数字キー、文字キー、機能キー等を表示部２とは別領域に備えて構成されるとしてもよい。
【００１９】
アンテナ４１は、巻き回した銅線等のループアンテナである。なお、アンテナ４１は透明色の導電性素材のループアンテナであってもよい。
アンテナ４１は、表示部２の背面に設置され、表示部２の表示領域を上下に２分割したときに上側の領域を囲むようにして設置される。なお、透明色の導電性素材からなるループアンテナを用いる場合、表示部２の表面に設置されるとしてもよい。
【００２０】
アンテナ４２は、巻き回した銅線等のループアンテナである。なお、アンテナ４２は透明色の導電性素材のループアンテナであってもよい。
アンテナ４２は、表示部２の背面に設置され、表示部２の表示領域を上下に２分割したときに下側の領域を囲むようにして設置される。なお、透明色の導電性素材からなるループアンテナを用いる場合、表示部２の表面に設置されるとしてもよい。
【００２１】
図２に、携帯端末１の機能ブロック図を示す。
携帯端末１は、表示部２、操作部３、アンテナ４１、アンテナ４２、制御部５、記憶部６、電源部７等を備えて構成される。これらの構成のうち、図１で既述した構成については同一の符号を付して簡潔に説明する。
【００２２】
表示部２は、制御部５からの制御信号に基づいて、静止画又は動画を表示する。
操作部３は、表示部２の画面上が押下された場合、押下信号を生成してこれを制御部５に出力する。
アンテナ４１及びアンテナ４２は、ＲＦタグに電波を送信し、送信された電波がＲＦタグから反射された場合にこの反射波を受信する。また、アンテナ４１及びアンテナ４２は、受信された反射波を「電波強度」として取得し、取得された電波強度を制御部５に出力する。
なお、アンテナ４１及びアンテナ４２は、ここではＲＦＩＤ用のアンテナとして用いるがこれに限らず、例えばＬＡＮ（Local Area Network）用やＷＡＮ（Wide Area Network）用のアンテナとして用いてもよい。
【００２３】
「ＲＦタグ」は、本発明の説明においては、ＲＦＩＤ技術により近距離無線通信を行い情報のやり取りを行い得るものとして、ＩＣチップをはじめとする電子素子とアンテナの構成が埋め込まれたカード形状などの非接触ＩＣカードやＲＦＩＤタグなどの総称として記載する。なお、各説明において、ＲＦタグの形状をカード型を例として説明しているが、これに限定されず、例えばコイン型、スティック型、ラベル型、及び腕時計や携帯電話等に埋め込むなど様々な形状のものとしてもよい。また、本件は第２の実施形態以降に関しても同様である。
【００２４】
制御部５は、ＣＰＵ、ＲＡＭ、ＲＯＭ等を備えて構成され、ＣＰＵはＲＯＭや記憶部６に記憶される各種プログラムをＲＡＭに展開し、展開された各種プログラムとの協働により携帯端末１の動作を統括的に制御する。
例えば制御部５は、記憶部６に記憶されているアプリケーションを実行してＲＦタグと近距離無線通信を行い、その際に表示処理（図３参照）を行う。
【００２５】
記憶部６は、ＲＯＭ、ＲＡＭ、ＨＤＤ、フラッシュメモリ等の揮発メモリ又は不揮発メモリである。記憶部６は、制御部５により実行される各種プログラムを記憶し、また、各種プログラムが実行されたことで得られる各種情報を記憶する。
例えば記憶部６は、ＲＦＩＤ用のアプリケーションソフト、ＲＦタグ認証テーブル、識別コード又は管理ツール等を記憶しており、近距離無線通信により取得された各種情報を記憶する。
【００２６】
電源部７は、いわゆるバッテリーとよばれる二次電池であり、携帯端末１の各部（２〜６）に電源を供給する。なお、図２において、電源供給ラインの図示は省略している。電源部７は、制御部５の制御に基づき省電力化を図るように各部に電源を供給する。
【００２７】
図３を参照して、近距離無線通信時における携帯端末１の表示処理について説明する。
本処理により、携帯端末１にＲＦタグがかざされた際、ＲＦタグによって覆われていない表示領域に各種のガイダンスを表示することができるため、ユーザの利便性向上が図れる。
【００２８】
前提として、携帯端末１においてＲＦタグと近距離無線通信を行うためのアプリケーションが起動され、初期画面が表示部２に表示されているものとする。初期画面としては、例えば表示部２の表示領域中央に「カードをかざしてください。」とのガイダンスが表示される。
なお、以下の説明では、ＲＦタグに書き込まれている情報を読み取る際に本処理が行われるものとしているが、書き込む際の場合も同様に本処理が行われる。
【００２９】
制御部５は、アンテナ４１及びアンテナ４２によりスキャンを開始する（ステップＳ１）。
制御部５は、アンテナ４１又はアンテナ４２からＲＦタグの識別コードを検知したか否か判断する（ステップＳ２）。
【００３０】
識別コードを検知しない場合（ステップＳ２；Ｎ）、制御部５は、検知するまでスキャンする。
識別コードを検知した場合（ステップＳ２；Ｙ）、制御部５は、アンテナ４１及びアンテナ４２から電波強度を取得する（ステップＳ３）。
【００３１】
制御部５は、アンテナ４１からの電波強度（以下、「４１ｅ」と表現する）とアンテナ４２からの電波強度（以下、「４２ｅ」と表現する）とを比較する（ステップＳ４）。
【００３２】
４１ｅ＜４２ｅの場合（ステップＳ４；４１ｅ＜４２ｅ）、すなわちアンテナ４１からの電波強度の方が小さい場合、制御部５は、ＲＦタグによって覆われていない表示領域の割合を算出する（ステップＳ５）。
例えば制御部５は、ＲＦタグによって覆われていない表示領域の割合を４１ｅ／（４１ｅ＋４２ｅ）により算出する。
【００３３】
制御部５は、算出された割合が１０％より大きいか否か判断する（ステップＳ６）。なお、ここでは判断基準値として１０％を採用しているが必ずしもこれに限られず、例えば２０％や３０％等であってもよい。
【００３４】
算出された割合が１０％より大きくない場合（ステップＳ６；Ｎ）、すなわち表示部２の表示領域の大部分がＲＦタグによって覆われている場合、制御部５はエラーを通知する（ステップＳ７）。
エラー通知は、例えば図示しないスピーカからブザー音のみに限らず「カードを端にずらして下さい」との音声通知であってもよいし、表示部２のバックライトや図示しないＬＥＤを点滅又は点灯する等の通知であってもよい。また、それらと同時に、ＲＦタグによって覆われて見えない表示部２にユーザへのガイダンスを念のために表示しておくとしてもよい。更に、図示しない振動デバイスにより携帯端末１の筐体等を振動させることによる通知であってもよい。
エラーを通知した後、制御部５はステップＳ２に移行する。
【００３５】
算出された割合が１０％より大きい場合（ステップＳ６；Ｙ）、すなわち表示部２の表示領域が一定領域以上確保されている場合、制御部５はアンテナ４１の設置領域内をＲＦタグによって覆われていない表示領域として検知し、検知された表示領域に各種のガイダンスを表示する（ステップＳ８）。
表示される各種のガイダンスとしては、例えば「もう一度かざしてください」との読み取り指示、「読み取りＯＫ！」との読み取り結果、「只今読み取り中です」との読み取り状況等がある。
【００３６】
制御部５は、電波強度の強いアンテナ４２により、ＲＦタグに書き込まれている情報を読み取る（ステップＳ９）。
このとき、ユーザはＲＦタグをかざしつつ表示部２の表示領域に表示される読み取り状況等のガイダンスを観察することができるため、利便性向上が図れる。
【００３７】
制御部５は、読み取り完了できたか否か判断する（ステップＳ１０）。
読み取り完了できない場合（ステップＳ１０；Ｎ）、制御部５は、ステップＳ３に移行する。
読み取り完了できた場合（ステップＳ１０；Ｙ）、制御部５は、アンテナ４１及びアンテナ４２への電源供給を停止してスキャンを終了し（ステップＳ１１）、携帯端末１による近距離無線通信を終了する。
【００３８】
ステップＳ４に戻り、制御部５は、電波強度を比較して４１ｅ≧４２ｅの場合（ステップＳ４；４１ｅ≧４２ｅ）、すなわち、アンテナ４２からの電波強度の方が小さい、又はアンテナ４１とアンテナ４２との電波強度が同一の場合、ＲＦタグによって覆われていない表示領域の割合を算出する（ステップＳ１２）。
例えば制御部５は、ＲＦタグによって覆われていない表示領域の割合を４２ｅ／（４１ｅ＋４２ｅ）により算出する。
【００３９】
制御部５は、算出された表示領域の割合が１０％より大きいか否か判断する（ステップＳ１３）。なお、ここでも判断基準として１０％を採用しているが必ずしもこれに限られず、例えば２０％や３０％等でもよい。
【００４０】
表示領域の割合が１０％より大きくない場合（ステップＳ１３；Ｎ）、制御部５は、光又は音によりエラーを通知し（ステップＳ１４）、ステップＳ２に移行する。
光又は音によるエラー通知の内容については、ステップＳ７のエラー通知と同様であるためここでの説明は省略する。
【００４１】
表示領域の割合が１０％より大きい場合（ステップＳ１３；Ｙ）、制御部５は、アンテナ４２の設置領域に各種のガイダンスを表示する（ステップＳ１５）。
表示されるガイダンスの内容については、ステップＳ８で表示されるガイダンスと同様であるためここでの説明は省略する。
【００４２】
制御部５は、アンテナ４１によりＲＦタグに書き込まれている情報を読み取る（ステップＳ１６）。
制御部５は、その後上記説明したステップＳ１０又はＳ１１に移行して携帯端末１による近距離無線通信を終了する。
【００４３】
なお、上記の近距離無線通信時における表示処理において、制御部５はステップＳ５〜Ｓ７及びステップＳ１２〜Ｓ１４を省略して処理を簡略化してもよい。具体的には、制御部５は電波強度を比較して（ステップＳ４）、電波強度の低い方のアンテナ（４１又は４２）の設置領域内に、読み取り状況等のガイダンスを表示する（ステップＳ８又はステップＳ１５）としてもよい。
この場合、ＲＦタグによって覆われていない表示領域の割合を算出しないため処理速度を向上することができる。
【００４４】
図４に、携帯端末１にＲＦタグがかざされる前の状態を示す。
図５に、携帯端末１にＲＦタグがかざされた後の状態を示す。
図４及び図５に示すように、「カードをかざしてください。」との読み取り指示に従ってＲＦタグがかざされた場合、本実施形態によれば、ＲＦタグによって覆われていない表示領域に「只今読み取り中です。」等の読み取り状況のガイダンス等を表示することができる。ＲＦタグがかざされる位置に拘らずガイダンスを観察することができるため、ユーザの利便性を図ることができる。
【００４５】
以上のように、第１の実施形態によれば、表示部２を備えた携帯端末１にＲＦタグがかざされた際、ＲＦタグによって覆われていない表示領域を検知することができ、検知された表示領域に読み取り指示等のガイダンスを表示することができる。ユーザはＲＦタグをかざしつつガイダンスを観察することができるので利便性を図ることができる。
【００４６】
また、アンテナ４１及びアンテナ４２から取得された電波強度のうち、電波強度が小さい方のアンテナの設置領域内をＲＦタグによって覆われていない表示領域として検知することができ、ＲＦタグによって覆われていない表示領域にガイダンスを表示することができる。
【００４７】
また、アンテナ４１及びアンテナ４２から取得された電波強度のうち、電波強度が大きい方のアンテナによりＲＦタグに書き込まれた情報を読み取ることができる。
【００４８】
また、アンテナ４１及びアンテナ４２から取得された電波強度を加算し、加算された電波強度において、アンテナ４１から取得された電波強度（又はアンテナ４２から取得された電波強度）が占める割合が予め定められた値よりも大きい場合にガイダンスを表示し、小さい場合に音、光、振動又は文字表示等によりエラーを通知することができる。
【００４９】
また、アンテナ４１及びアンテナ４２は、表示部２の表示領域を２つに分割したとき、分割された領域を囲むようにそれぞれ巻き回して設置されるため、表示領域を十分に確保しつつ携帯端末の小型化を図ることができる。
【００５０】
また、ＲＦタグをかざしつつ観察可能に表示されるガイダンスとして、読み取り指示、読み取り状況、読み取り結果等があり、これらをユーザは観察することができるため利便性を図ることができる。
【００５１】
〔第２の実施形態〕
図６に、携帯端末１１の外観図を示す。
なお、携帯端末１と同様の構成については同一の符号を付して説明は省略する。
携帯端末１１は、携帯端末１と比較して、アンテナ数及びアンテナの設置位置が異なり他の構成は同様である。携帯端末１１は、表示部２の背面に４つのアンテナ４１〜４４を備えて構成され、４つのアンテナ４１〜４４は、表示部２の表示領域を上下左右に４分割したときに各領域を囲むようにしてそれぞれ設置される。なお、透明色の導電性素材からなるループアンテナを用いる場合、表示部２の表面に設置されるとしてもよい。
【００５２】
図７に、携帯端末１２の外観図を示す。
なお、携帯端末１１と同様の構成については同一の符号を付して説明は省略する。
携帯端末１２は、携帯端末１１と比較して、アンテナの設置位置が異なり他の構成は同様である。携帯端末１２は、表示部２の表示領域外であり表示領域近傍に４つのアンテナ４１〜４４を備えて構成され、４つのアンテナ４１〜４４は、表示部２の４つの辺に沿ってそれぞれ設置される。
【００５３】
図８に、携帯端末１１の機能ブロック図を示す。
携帯端末１１は、表示部２、操作部３、アンテナ４１〜４４、制御部５、記憶部６、電源部７等を備えて構成される。
【００５４】
携帯端末１１は、携帯端末１と比較して、４つのアンテナ４１〜４４を備える点で異なり、他の機能構成は同様であるためここでの説明は省略する。
また、携帯端末１２は、携帯端末１１と同様の構成であるためここでの説明は省略する。
【００５５】
図９を参照して、近距離無線通信時における携帯端末１１の表示処理について説明する。
本処理により、携帯端末１１にＲＦタグがかざされた際、ＲＦタグによって覆われていない表示領域を正確に検知し、ＲＦタグによって覆われていない表示領域に各種のガイダンスを表示することができるため、ユーザの利便性向上が図れる。
【００５６】
前提として、携帯端末１１においてＲＦタグと近距離無線通信を行うためのアプリケーションが起動され、初期画面が表示部２に表示されているものとする。初期画面としては、例えば表示部２の表示領域中央に「カードをかざしてください。」とのガイダンスが表示される。
【００５７】
制御部５は、アンテナ４１〜４４によりスキャンを開始する（ステップＳ２１）。
制御部５は、アンテナ４１〜４４の何れかによりＲＦタグの識別コードを検知したか否か判断する（ステップＳ２２）。
【００５８】
識別コードを検知していない場合（ステップＳ２２；Ｎ）、制御部５は、検知するまでスキャンする。
識別コードを検知した場合（ステップＳ２２；Ｙ）、制御部５は、アンテナ４１〜４４から電波強度を取得する（ステップＳ２３）。
【００５９】
制御部５は、記憶部６に予め記憶されているテーブルを参照し、取得された電波強度及びテーブルに基づいて、ＲＦタグによって覆われていない表示領域を検知する（ステップＳ２４）。
【００６０】
図１０に、テーブルＴ１を示す。
テーブルＴ１は、アンテナ４１〜４４ごとの電波強度とＲＦタグによって覆われていると予測される表示領域とが対応付けられており、更に、ＲＦタグによって覆われていないと予測される表示領域が対応付けられている。
【００６１】
アンテナ４１〜４４ごとの電波強度は、アンテナ４１〜４４ごとに電波強度を１〜４まで振り分けたものであり、ここでは電波強度１＝最小、２＝小、３＝中、４＝最大として説明する。電波強度が大きいアンテナほど、ＲＦタグからの反射波を多く受信していることからＲＦタグとの距離が近いといえる。また、網掛け部分は、アンテナ４１〜４４ごとに電波強度１〜４を振り分けた中で電波強度が一番大きく、網掛け部分に該当するアンテナがＲＦタグに書き込まれた情報の読み取り用アンテナとして採用される。なお、電波強度が一番大きなアンテナが複数有る場合には、このテーブルＴ１では便宜上、アンテナ番号の小さい方のアンテナを情報の取り込み用として採用することとして網掛け表記しているが、その判断は一例であり、本発明はこれに限定されるものではない。
【００６２】
ＲＦタグによって覆われていると予測される表示領域は、アンテナ４１〜４４ごとの電波強度の割り振り状態及びアンテナ４１〜４４の設置位置に基づいて予測された領域であり、ＲＦタグがかざされた位置を予測したものである。電波強度の割り振り状態が例えばアンテナ４１〜４４の順に４−４−１−１の場合（テーブルＴ１：一行目）、アンテナ４１及び４２の電波強度が最大であり、アンテナ４１及び４２は表示部２の表示領域において左上及び右上に設置されていることから、ＲＦタグはアンテナ４１及び４２の設置位置である表示領域の上側でかざされたものと予測される。
【００６３】
ＲＦタグによって覆われていないと予測される表示領域は、ＲＦタグによって覆われていると予測される表示領域以外の表示領域であり、ＲＦタグがかざされていない領域を予測したものである。電波強度の割り振り状態が例えばアンテナ４１〜４４の順に４−４−１−１の場合（テーブルＴ１：一行目）、ＲＦタグはアンテナ４１及び４２の設置位置である表示領域の上側でかざされたものと予測されるから、ＲＦタグによって覆われていない表示領域は下側と予測される。
【００６４】
制御部５は、アンテナ４１〜４４から電波強度を取得した後、取得された電波強度が電波強度１〜４の何れであるか判定し、判定結果とテーブルＴ１とに基づいて、ＲＦタグによって覆われていない表示領域を検知する（ステップＳ２４）。
【００６５】
制御部５は、検知された表示領域に各種のガイダンスを表示する（ステップＳ２５）。
各種のガイダンスとしては、例えば「もう一度かざしてください」との読み取り指示、「読み取りＯＫ！」との読み取り結果、「只今読み取り中です」との読み取り状況等がある。
【００６６】
制御部５は、電波強度の大きいアンテナにより、ＲＦタグに書き込まれている情報を読み取る（ステップＳ２６）。
例えば制御部５は、テーブルＴ１において網掛け部分に該当するアンテナにより、ＲＦタグに書き込まれている情報を読み取る。
【００６７】
このとき、ユーザはＲＦタグをかざしつつ表示部２の表示領域に表示される読み取り状況等のガイダンスを観察することができるため、利便性向上が図れる。
【００６８】
制御部５は、読み取り完了できたか否か判断する（ステップＳ２７）。
読み取り完了できない場合（ステップＳ２７；Ｎ）、制御部５は、ステップＳ２３に移行する。
読み取り完了できた場合（ステップＳ２７；Ｙ）、制御部５は、アンテナ４１〜４４への電源供給を停止してスキャンを終了し（ステップＳ２８）、携帯端末１１による近距離無線通信を終了する。
【００６９】
なお、携帯端末１２の表示処理については、上記の処理におけるテーブルＴ１の内容が異なり、他は同様であるためここでの説明は省略する。
【００７０】
以上のように、第２の実施形態によれば、表示部２を備えた携帯端末１１又は携帯端末１２にＲＦタグがかざされた際、ＲＦタグによって覆われていない表示領域を正確に検知することができ、検知された表示領域に読み取り指示等のガイダンスを表示することができる。ユーザはＲＦタグをかざしつつガイダンスを観察することができるため、利便性が図れる。
【００７１】
また、テーブルＴ１を参照することで、アンテナ４１〜４４から取得された電波強度及びテーブルＴ１に基づいて、高速かつ正確に、ＲＦタグによって覆われていない表示領域を検知することができる。
【００７２】
また、アンテナ４１〜４４を表示領域外であって、表示部２の表示画面の４辺に沿ってそれぞれ設置した携帯端末１２の場合、アンテナ４１〜４４を表示部２の背面又は表面に配置する携帯端末１１の場合と比較して端末の厚みを抑えることができる。
【符号の説明】
【００７３】
１、１１、１２  携帯端末
２              表示部
３              操作部
４１〜４４      アンテナ
５              制御部
６              記憶部
７              電源部
【図１】
2011180698.tif 000003
【図２】
2011180698.tif 000004
【図３】
2011180698.tif 000005
【図４】
2011180698.tif 000006
【図５】
2011180698.tif 000007
【図６】
2011180698.tif 000008
【図７】
2011180698.tif 000009
【図８】
2011180698.tif 000010
【図９】
2011180698.tif 000011
【図１０】
2011180698.tif 000012
【図１１】
2011180698.tif 000013
【図１２】
2011180698.tif 000014